(57)【要約】  【課題】椅子のバックサポートのような回動部材をロック手段付きの継手装置に取り付けてなる家具において、ロックの確実性とロック解除操作の容易性とを確保する。  【手段】継手装置11は、金属製の固定式軸受17と、これに回動自在に連結された金属製の回動式軸受20と、固定式軸受17に装着した樹脂製の補助軸受18とを備えている。回動式軸受20に内蔵したロックピン21が固定式軸受17の係合溝29に嵌まることにより、バックサポート４は水平姿勢に保持される。ロックピン21はその軸方向にスライドすることにより、係合溝29に係脱する。ロック状態でバックサポート４を持ち上げるとロックが解除される。係合溝29を固定軸受17に形成すると共に、ロックピン21が摺接する面を補助軸受18(31)で構成することにより、回動のスムース性を確保しつつ、ロック状態での強度を確保できる。【選択図】      図７
2006280567.tif 000002
【特許請求の範囲】
【請求項１】
支持部材と、継手装置を介して前記支持部材に回動自在に取り付けられた回動部材とを備えており、前記継手装置は、回動部材を所定の姿勢に保持するロック手段を備えており、ロック手段と回動部材とを、回動部材をその回動軸心と直交した方向に引っ張ることによってロックが解除されるように連動させている、
家具類。
【請求項２】
前記回動部材は、長手方向と短手方向とを有する非円形に形成されている一方、
前記継手装置は、支持部材に取り付く固定継手部と、この固定継手部に回動自在に連結された回動継手部とを備えており、前記ロック手段は、回動継手部の回動軸心と直交した方向にスライドするようにして回動継手部に装着されたピン状のロック体と、ロック体がそのスライドによって嵌脱するように固定継手部に形成された係合部とから成っており、前記ロック体と係合部とが嵌合する部分の断面形状を、回動部材を前記ロック体の軸心回りに回転させた所定の姿勢での互いに嵌脱する形状に設定している、
請求項１に記載した家具類。
【請求項３】
請求項１又は請求項２に記載した家具類用の継手装置であって、
前記ロック体は金属製であって、回動継手部と一緒に回動運動を行うようになっており、このロック体を、固定継手部に向けて前進し勝手となるようにばねで付勢している一方、前記固定継手部には、前記ロック体の先端面が当接した状態で移動することを許容する略弧状の摺接面と、摺接面の端部に連接された溝状の係合部とが形成されていて、ロック体は摺接面を超えると前記ばねの付勢力によって係合部に嵌まり込むように設定されており、更に、前記固定継手部のうち係合部はその全体が金属からなっており、摺接面は樹脂製部材で構成されている、
家具類用の継手装置。
【発明の詳細な説明】
【技術分野】
【０００１】
本願発明は、回動する部材を有する家具類及びこれに使用する継手装置（ロック機構付きヒンジ装置と言い換えてもよい）に関するものである。ここに言う家具類には、椅子やテーブルのような移動自在なものの他に、例えば建物や車両・船舶・航空機等に作り付けた棚のような設備・装置類も含むものである。
【背景技術】
【０００２】
家具類の一つに椅子があり、椅子の一例として特許文献１では、着座した人が肘を当てることのできる平坦状の肘当て台を設けることが記載されている。また、回動式部材を有する家具の顕著な例としての折り畳み式テーブルがあり、この折り畳み式テーブルでは、天板の下面には配置したレバーを操作することによってヒンジ部のロックを解除するようになっている（例えば特許文献２など）。
【特許文献１】特開平２００２−１２５８０３号公報
【特許文献２】特開平９−２６６８１９号公報
【発明の開示】
【発明が解決しようとする課題】
【０００３】
特許文献１の肘当て台は座の外側から立ち上がった支柱に取り付けており、肘当ての機能しか持たないため、融通が利かないという問題がある。この点については、肘当てや背もたれや小テーブルの機能を果たす部材を支柱に回動自在に取り付けて、側面視で傾斜した姿勢（或いは直立した姿勢）としたり水平姿勢としたりすると、椅子の機能を格段に向上できる。
【０００４】
この場合、肘当てや背もたれとして機能する部材の姿勢を保持する手段が問題になる。特に、肘当てや小テーブルとして機能させる場合、安定性を確保するため水平姿勢に保持することは重要なる。この点については、特許文献２のようなレバーの操作でロック解除されるロック装置を  設けることや、プッシュボタンを押してロック解除するロック装置を設けること、或いは、ばねで押されたボールを係合穴に嵌脱させるいわゆるボールキャッチ方式の係止装置を設けることが考えられる。
【０００５】
しかして、レバーやプッシュボタンを使用する方式は、ロック状態を確実に保持できる利点がある反面、レバーやボタンの操作が面倒であるという問題がある。特に、レバーやボタン回動する部材の裏面側に配置されるため、レバーやボタンを一々探さねばならず、操作は厄介なものとなる。他方、ボールキャッチ方式の係止装置は、部材にある程度の力を掛けるだけで姿勢を変更できるため操作性には優れているが、その反面、姿勢保持機能が十分でないという問題がある。そして、ロック状態保持の確実性と操作の容易性とが相反することは回動式部材を有する家具類に共通した課題であると言える。
【０００６】
本願発明は、このような現状を改善すべく成されたものである。
【課題を解決するための手段】
【０００７】
請求項１の発明は家具類に係るもので、この家具類は、支持部材と、継手装置を介して前記支持部材に回動自在に取り付けられた回動部材とを備えており、前記継手装置は、回動部材を所定の姿勢に保持するロック手段を備えており、ロック手段と回動部材とを、回動部材をその回動軸心と直交した方向に引っ張ることによってロックが解除されるように連動させている。
【０００８】
請求項２の発明は、請求項１において、前記回動部材は、長手方向と短手方向とを有する非円形に形成されている一方、前記継手装置は、支持部材に取り付く固定継手部と、この固定継手部に回動自在に連結された回動継手部とを備えており、前記ロック手段は、回動継手部の回動軸心と直交した方向にスライドするようにして回動継手部に装着されたピン状のロック体と、ロック体がそのスライドによって嵌脱するように固定継手部に形成された係合部とから成っており、前記ロック体と係合部とが嵌合する部分の断面形状を、回動部材を前記ロック体の軸心回りに回転させた所定の姿勢での互いに嵌脱する形状に設定している。
【０００９】
本願発明は、家具類用の継手装置も含んでいる。すなわちこの継手装置は、請求項１又は請求項２に記載したものであり、前記ロック体は金属製であって、回動継手部と一緒に回動運動を行うようになっており、このロック体を、固定継手部に向けて前進し勝手となるようにばねで付勢している一方、前記固定継手部には、前記ロック体の先端面が当接した状態で移動することを許容する略弧状の摺接面と、摺接面の端部に連接された溝状の係合部とが形成されていて、ロック体は摺接面を超えると前記ばねの付勢力によって係合部に嵌まり込むように設定されており、更に、前記固定継手部のうち係合部はその全体が金属からなっており、摺接面は樹脂製部材で構成されている。
【発明の効果】
【００１０】
本願発明によると、回動不能にロックされた回動部材はこれをロック体のスライド方向に引き動かす操作でロックが解除されるため、ロック解除を迅速に行うことができる。また、回動部材を引き動かさないとロックは解除されないため、ロック姿勢に確実に保持される。従って本願発明によると、ロック状態を確実に保持する機能を損なうことなく、ロックを容易に解除することができる。
【００１１】
なお、一般的には、本願発明は、回動部材を人が一人で簡単に持ち上げできる程度の大きさの家具である場合に好適であると言える。また、この種の回動部材は水平姿勢でロックすることが多いが、水平姿勢の回動部材に対しては上方から荷重が下向きに掛かることが多く、その下向き荷重がロック状態を保持するように作用するため、回動部材を水平姿勢にロックする場合に特に好適である。
【００１２】
回動部材が長方形や楕円形のように非円形で方向性がある場合、支持部材との関係で、安定性確保等の面から、例えば水平姿勢において所定の姿勢でのみロックしたい場合がある。この点、請求項２のように構成すると所定の姿勢でしかロックできないため、安定性確保等の要請に確実に応えることができる。
【００１３】
継手装置は様々の形態に具体化できるが、継手装置を請求項３のように構成すると、ロック状態では金属製のロック体が金属製の係合部に係合しているため強度において優れており、しかも、固定継手部の摺接面は樹脂製部材で構成されているため、こすれ音の発生を防止することができると共に動きもスムースになる利点がある。
【発明を実施するための最良の形態】
【００１４】
次に、本願発明の実施形態を図面に基づいて説明する。
【００１５】
(1).第１実施形態の概要
図１〜図９では第１実施形態を示している。本実施形態は椅子に適用したもので、まず、図１〜図２に基づいて椅子の概要を説明する。図１のうち（Ａ）は椅子の正面図、（Ｂ）は椅子の右側面図、図２は椅子の平面図である。椅子は、脚柱１を備えた脚２と、脚柱１で高さ調節自在に支持された座３と、着座した人がもたれ掛かることのできるバックサポート４と、バックサポート４が取り付くバックフレーム５とを備えている。
【００１６】
脚２は、脚支柱１から平面視で放射状に延びる複数本の枝足６を備えており、各枝足６の先端にはキャスター７を設けている。脚柱１は、内外の筒が昇降自在及び相対回転自在に嵌まり合ったガスシリンダを使用している。脚柱１と座３との間には座受け部８を設けており、座受け部８は、上向き開口でかつ平面視略涙滴形の中間支持体（座受けベース）９を備えている。そして、中間支持体９は、巾狭の端部に寄った部位において脚柱１の上端に固定されている。中間支持体９の外側には、座３を昇降操作するためのレバー１０が露出している。
【００１７】
図２に示すように、座３の平面形状は、全体として丸みを帯びつつ一方方向に長い形状であり、具体的には、くびれ部とその両側に広がる不完全円形部とから成る瓢箪形になっている。また、図２に示すように、座３は、中間支持体９のうち平面視で脚柱１からずれた部分に回転自在に取り付けられている。
【００１８】
バックフレーム５は、下端に水平部５ａとを備えたＬ字状に形成されており、水平部５ａを中間支持体９の後部に溶接で固定している。また、バックフレーム５の起立部は座３の旋回エリアの外側に位置している。従って、座３はバックフレーム５の位置に関係なく、ぐるぐる回転させることができる。換言すると、座３とバックフレーム５とは任意に相対回転させることができる。バックフレーム５の横断面形状は中空円形になっているが、中空角形や中空楕円形等の他の断面形状でも良い。
【００１９】
バックサポート４は略板状であり、着座した人が背を重ねることのできる略平坦状の支持面を有している。支持面の外形は座３と同様に瓢箪形になっている。バックサポート４は座３よりも小さいサイズになっているが、勿論、同じ程度の大きさでも良い。
【００２０】
バックサポート４は、バックフレーム５の上端部に継手装置１１を介して取付けられている。そして、バックサポート４は、図１（Ａ）の実線のように支持面を前向きにした倒れ姿勢から、図１（Ｂ）及び図２に一点鎖線に示すように支持面を上向きにした水平姿勢まで第２軸心１２の回りに回動させることができ（但し、バックサポート４は横長姿勢でないと水平姿勢には移行できない）、また、倒れ姿勢では、長手方向及び巾方向の中間部において肉厚方向に通る第１軸心１３の回りに自在に回転させることができる。
【００２１】
なお、本欄では便宜的に、第１軸心１３の回りに回転する動きを第１の動きと呼び、第２軸心１２の回りに回動する動きを第２の動きと呼ぶ。第１の動きにより、バックサポート４は椅子の正面視で縦長の姿勢や横長の姿勢にすることができ、また、第２の動きにより、バックサポート４は支持面が前を向いた倒れ姿勢から支持面が真上を向いた水平姿勢まで側面視での姿勢を変更することができる。バックサポート４は倒れ切った状態でやや後傾姿勢になっている。
【００２２】
(2).継手装置の詳細
次に、図３〜図９を参照して継手装置１１を詳述する。図３は継手装置１１の分解斜視図、図４のうち（Ａ）は部材の分離斜視図、（Ｂ）は部材の分離側面図、図５のうち（Ａ）は部材の分解平面図、（Ｂ）は（Ａ）のＢ−Ｂ視図、図６のうち（Ａ）は継手装置１１の平面図、（Ｂ）は継手装置１１の側面図、（Ｃ）は継手装置１１の一部破断平面図、図７のうち（Ａ）は継手装置の縦断側面図、（Ｂ）は（Ａ）のＢ−Ｂ視断面図、（Ｃ）は（Ａ）のＣ−Ｃ視断面図、（Ｄ）は（Ａ）の部分拡大図、図８のうち（Ａ）はバックサポート４が水平姿勢に移行不能な状態での継手装置の縦断側面図、（Ｂ）は椅子の平面図、図９のうち（Ａ）はバックサポート４が水平姿勢にあるときの縦断側面図、（Ｂ）は（Ａ）のＢ−Ｂ視断面図、（Ｃ）は（Ｂ）のＣ−Ｃ視断面図、（Ｄ）は椅子の平面図である。
【００２３】
例えば図３に示すように、バックサポート４は合板等の硬質材製の基板１５にクッション１６を張った構造になっている。但し、基板１５にクロス類を張っただけの構造や基板１５だけの構造も採用できる。
【００２４】
例えば図３から理解できるように、継手装置１１は、バックフレーム５の上端に固定された固定式軸受１７と、固定式軸受１７に嵌まった補助軸受１８と、固定式軸受１７及び補助軸受１８に水平状の支軸１９で回動自在に取付けられた回動式軸受け（回動体）２０と、回動式軸受け２０に内蔵されたロックピン２１と、ロックピン２１を付勢するばね（圧縮コイルばね）２２と、バックサポート４に固定された第１受け座２３及び第２受け座２４とを備えている。
【００２５】
本実施形態では、固定式軸受１７と補助軸受１８とで請求項の固定継手部が構成されており、また、回動式軸受２０や受け座２３，２４が請求項に記載した回動継手部の主要部材を構成している。固定式軸受１７はアルミダイキャスト品等の金属製であり、補助軸受１８は樹脂製である。また、第１受け座２３は樹脂製で第２受け座２４は金属製（鋼板製）であり、両者は重なってビス２５で基板１５に共締めされている。
【００２６】
本実施形態では、支軸１９の軸心が第２軸心１２になり、ロックピン２１の軸心が第１軸心１３になる。支軸１９で具体化される第２軸心１２は、バックサポート４の中央部の裏面の近傍で水平状に延びており、かつ、その延び方向は平面視で座３の接線方向と略平行になっている。
【００２７】
固定式軸受１７は下向きのボス部１７ａを備えており、ボス部１７ａをビス２６（図７参照）でバックフレーム５に固定している。また、固定式軸受１７の上部は円板状の仮想外形を有する板状部１７ｂに形成されており、板状部１７ｂには、座３と反対側に向けて開口した切り開き部２７を形成している。切り開き部２７は略９０度程度の範囲に広がっている。
【００２８】
切り開き部２７の上部に、切り開き部２７の端壁と間隔を開けた状態で隔壁２８を設けることによって左右長手（平面視長方形）の係合溝２９を形成している。係合溝２９は請求項に記載した係合部の一例であり、隔壁２８は固定式軸受１７の外周よりも低い高さになっている。また、係合溝２９における底部の左右中間部には、当該係合溝２９を横切るリブ３０を一体に形成している。リブ３０は隔壁２８よりも低い高さである。
【００２９】
補助軸受１８は、固定式軸受１７の板状部１７ｂに重なる２枚の円板部１８ａを備えており、２枚の円板部１８ａは固定式軸受１７の切り開き部２７に嵌まる繋ぎ部３１を介して一体に繋がっている。繋ぎ部３１は、固定式軸受１７における切り開き部１７のうち隔壁２８よりも下方の部位に重なる形状であり、円周部３１ａと放射状部３１ｂとを備えている。なお、補助軸受１８の円板部ａは、回動式軸受１８が回動するに際して動きのスムース性とこすれ音防止とを図るブッシュの役割も果たしている。
【００３０】
例えば図４（Ａ）に示すように、補助軸受１８における円板部１８ａの下端には下向きに開口した位置決め用切欠き１８ｃが形成されている一方、固定式継手１７には、前記切欠き１８ｃが嵌まる突起１７ｃを形成している。また、補助軸受１８における円板部１８ａの上部内面にには、固定式軸受１７の隔壁２８の端部に内側から当たる上ストッパー部１８ｄを形成している。このため補助軸受１８は正確な姿勢に位置決めされる。
【００３１】
例えば図７から容易に理解できるように、補助軸受１８における繋ぎ部３１の外径は固定式軸受１７における板状部１７ｂの仮想外周面よりも小径に設定されている。また、向）の溝幅が大きくなるように平面視長方形に形成されている。
【００３２】
回動式軸受２０は全体として円筒状に形成されており、前端部は、固定式軸受１７の板状部１７ｂ及び補助軸受１８に嵌まるように抉られた二股状部２０ａになっている。そして、二股状部２０ａが支軸１９で固定式軸受１７及び補助軸受１８に取付けられている。本実施形態では、支軸１９は、左右両側からビス３２がねじ込まれることによって抜け不能に保持されている。
【００３３】
ロックピン２１は手前側にフランジ部３３が形成されており、フランジの３３の手前には断面略長方形のロック部３４が突出している。ロックピン２１は回動式軸受け２０に対して回転自在でかつ後向き抜け不能に嵌まっている（フランジ３３が回動式軸受２０の内周に形成した内段部２０ｃに当たることにより、ロックピン２１の抜けが阻止されている。）。また、ロックピン２１には、スライダーを兼用する樹脂製の前後ばね受け３５，３６が嵌まっている。前ばね受け３５は、ロックピン２１のフランジ３３に形成した凹所３３ａに嵌合してロックピン２１に相対回転不能に保持されている（凹所３３ａを設けずに相対回転可能に嵌め合わせてもよい。）。
【００３４】
また、ロックピン２１のロック部３４は断面長方形になっている一方、係合溝２９も長方形である。また、ロック部３４には、係合溝２９のリブ３０に嵌合し得るセンター切欠き３７を形成している。これは位置決めのためである。本実施形態では、ロックピン２１、ばね２２、係合溝２９によって請求項に記載したロック手段が構成されている。
【００３５】
ロックピン２１の後端部２１ａは非円形（小判形）に切欠き形成された回り止め部になっており、この後端部２１ａを受け座２３，２４に形成した係止穴３８に相対回転不能に嵌め込んでいる。ロックピン２１は、受け座２３，２４の係止穴３８を貫通したビス３９により、受け座２３，２３に固定されている。すなわち、ロックピン２１とバックサポート４とは相対回転不能に保持されている。基板１５には、ビス３９との干渉を回避する座ぐり穴４０が形成されている。
【００３６】
第１受け座２３には、回動式軸受２０の先端部が回転自在に嵌まる筒部２３ａ形成されており、この筒部２３ａは、回動式軸受２０がその軸方向にスライドしても抜け出ない寸法に設定されている。受け座２３，２４は１枚でもよいが、実施形態のように樹脂製の第１受け座２３と金属製の第２受け座２４とで構成すると、バックサポート４をロックピン２１の軸心回りに回転させるに際してのこすれ音発生防止と回転のスムース性を確保しつつ、ロックピン２１と第２受け座２４との嵌合強度を確保して、水平姿勢の状態でバックサポート４に旋回しようとする外力が作用した場合の強度を格段に向上できる。
【００３７】
(3).バックサポートの動き
図７〜図９から理解できるように、バックサポート４が支軸１９の回りに回動する角度は、ロックピン２１のロック部３４の移動ストローク（支軸１９の軸心回りに移動する範囲）によって規制されている。また、バックサポート４が倒れ姿勢にあるときは、ロックピン２１は回動式軸受け２０の内部で回転自在であるためバックサポート４もロックピン２１の軸心回りに自在に回転させることができる。
【００３８】
ところで、図４（Ｂ）で示す寸法Ｒ１は、支軸１９の軸心から係合溝２９の底面までの半径寸法であり、また、寸法Ｒ２は、支軸１９の軸心から補助軸受１８における繋ぎ部３１の円周部３１ａの外周面までの距離である。そして、補助軸受１８における繋ぎ部３１の円周部３１ａの外周面はロックピン２１が摺動自在に当たる摺接面であるが、支軸１９の軸心から摺接面までの半径距離であるＲ２は、円周部３１ａの下端においてはＲ１と略同じであり、円周部３１ａの上部に行くに従って徐々に大きくなっており、Ｒ２の最大寸法は支軸１９の軸心から隔壁２８の外周までの距離と殆ど同じである。
【００３９】
従って、バックサポート４を最も倒れた姿勢から水平に向けて起こすと、ロックピン２１は徐々に後退動し、その結果、バックサポート４は回動式軸受２０から遠ざかるように移動する。そして、図７に示すように、バックサポート４が倒れ切った状態では、回動式軸受２０の先端面は第１受け座２３の前面に当接するように設定しており、かつ、その状態からロックピン２１が後退動することを許容するため、図７（Ｄ）に示すように、ロックピン２１のフランジ３３と回動式軸受２０の内段部２０ｃとの間には隙間Ｓが開いている。
【００４０】
他方、図５に示すように、回動式軸受２０の先端面のうち軸心を挟んだ反対の２カ所に突起２０ｂを設ける一方、第１受け座２３には、前記突起２０ｂが嵌合し得る凹所２３ｂを周方向に９０度ずつ隔てた４箇所に設けている。これら突起２０ｂと凹所２３ｂとが円周方向に向かって当接する部分は傾斜面になっている。
【００４１】
そして、既述のとおり、バックサポート４が倒れ切った状態では、回動式軸受２０の端面はばね２２の押さえ作用によって第１受け座２３の前面に当接しているため、バックサポート４を回転させると、当該バックサポート４が回動式軸受２０の軸方向に逃げ移動することにより、突起２０ｂが凹所２３ｂに嵌まり変わる。このため、バックサポート４は９０度回転させるごとに、カチッカチッというクリック感をもって縦長姿勢と横長姿勢とに選択的に姿勢保持される。
【００４２】
バックサポート４が倒れ切った状態で回動式軸受２０の端面が第１受け座２３に密着（当接）しているため、人がバックサポート４にもたれ掛かってもバックサポート４が後方にずれることはなくて安定性がよい。また、突起２０ｂと凹所２３ｂとの嵌まり合いによってバックサポート４の姿勢が保持されていることと、回動式軸受２０が第１受け座２３の筒部２３ａに深く嵌まっているたことにより、バックサポート４のふらつきが無くて使用感がよい。回動式軸受２０に凹所を形成して、第１受け座２３に突起を形成してもよいし、例えばバックサポート４を４５度回転するごとに姿勢保持するように構成するなど、切り換え姿勢を保持できる数は任意に設定できる。
【００４３】
ロックピン２１のロック部３４は、支軸１９の軸線と平行に長く延びる姿勢（すなわち正面視で横長の姿勢）になったときのみ係合溝２９に嵌まることができ、図８のように、ロック部３４が支軸１９と平行に長く延びる姿勢でない状態では、バックサポート４を起こしてもロックピン２１のロック部３４は係合溝２９を跨いだ状態になり、バックサポート４を水平姿勢まで移行させることはできない。
【００４４】
他方、図９に示すように、ロックピン２１のロック部３４が支軸１９の軸線と平行な姿勢（正面視で左右横長の姿勢）のときは、ロック部３４が係合溝２９に嵌まり込んで、バックサポート４は水平姿勢に保持される。そして、既述した図４（Ｂ）の寸法Ｒ２が上部に行くに従って大きくなるため、バックサポート４はその跳ね上げ回動に伴って少しずつ回動式軸受２０から遠ざかり、やがて、ロック部３４が係合溝２９に嵌まり込むと、図９に示すように、回動式軸受２０の先端面は第１受け座２３と密着（当接）する。
【００４５】
バックサポート４が回動するとき、既述のとおり、ロックピン２１はばね２２の付勢作用によって補助軸受１８の繋ぎ部３１に当接しているが、補助軸受１８は樹脂製であるためこすれ音が発生することはない。従って、使用感がよい。
【００４６】
また、ロックピン２１のロック部３４は、バックサポート４の長手方向と同じ方向に長く延びる長方形の断面形状であるため、バックサポート４は、図９に示すように平面視で座３の接線方向に長く延びる姿勢でないと水平姿勢に移行させることはできない。換言すると、図８（Ｂ）のような状態ではバックサポート４を水平姿勢に移行させることはできない。
【００４７】
バックサポート４が平面視で座３の接線方向に長く延びる姿勢にあるときには、バックサポート４は脚２で安定的に支持できるエリア（すなわち、各キャスター７を繋いだエリア）の範囲内にあり、このためバックサポート４のどの部分に大きな荷重がかかっても椅子がひっくり返るようなことはない。
【００４８】
バックサポート４が水平姿勢の状態では、ロックピン２１はばね２２の押し作用によって係合溝２９に嵌り込んでいるため、バックサポート４は倒れ回動不能及び水平回転不能に保持されている。そして、係合溝２９はその全体が金属で構成されているため、バックサポート４を倒し回動させようとする外力及び水平旋回させようとする外力に対する強度が格段に高くなっており、加えて、リブ３０が隔壁２８の補強効果を有するため、隔壁２８の折れを防止して強度をより一層アップできる。また、ロック部３４のセンター切欠き３７が係合溝２９のリブ３０に嵌合しているため、ロックピン２１が支軸１９の軸方向にガタ付くこを阻止して、ロック状態を確実に保持できる利点もある。
【００４９】
水平姿勢のバックサポート４をばね２２に抗して持ち上げると、ロックピン２１と係合溝３４との嵌まり合いが解除され、バックサポート４は倒れ姿勢に回動させることができる。なお、バックサポート４の回動に際してのこすれ音発生防止及びスムース移動確保手段としては、ロック部３４に樹脂部材を装着することも可能である。
【００５０】
(4).第２実施形態（図10）
図１０では第２実施形態を示している。この実施形態は、第１実施形態におけるバックサポート取付け構造の変形例である。この第２実施形態では、係合溝２９は、補助軸受１８の繋ぎ部３１の上端を切欠くことによって形成している。補助軸受１８における繋ぎ部３１の外周面（摺接面）はその周方向にわたって全範囲が支軸１９の軸心から等距離になっているが、第１実施形態の寸法Ｒ２に設定するのが好ましいと言える。
【００５１】
本実施形態では、回動式軸受け２０の先端面に補強体４２がねじ４３で固定されており、補強体４３は、バックサポート４の基板１５に形成された穴４４に摺動可能に嵌め入れられている。また、補強体４２は受け座４５で抜け不能に保持されている。更に、ロックピン２１はバックサポート４の基板１５にビス３９で回転不能に固定されている。本実施形態では、補強体４２が基板１５の穴４４に嵌まっていることにより、バックサポート４の取付け構造を堅牢化できる利点がある。
【００５２】
(5).第３実施形態（図11）
図１１では第３実施形態を示している。この第３実施形態では、ロックピン２１のロック部３４を断面円形に形成している。係合溝２９を補助軸受１８の繋ぎ部３１によって形成している点は第２実施形態と同じである。この実施形態では、ロック部３４が係合溝２９に嵌まるに際して方向性がないため、バックサポート４が倒れ姿勢において正面方向から見てどのような姿勢であっても水平姿勢に移行させることができ、また、バックサポート４は水平姿勢において水平旋回自在である。バックサポート４等の回動部材が円板状である場合にはこのような構造が好適であると言える。
【００５３】
(7).第４実施形態（図12）
図１２に示す第４実施形態では、ロックピン２１は回動式軸受け２０に回転不能に嵌まっている一方、バックサポート４はロックピン２１に回転可能に取付けられている。この実施形態でも、バックサポート４が倒れ姿勢と水平姿勢とに移行するにおいて姿勢の制約（方向性）はない。
【００５４】
(8).第５実施形態（図13）
図１３では第５実施形態を示している。（Ａ）は分離斜視図、（Ｂ）は断面図である。この実施形態の継手装置１１は、第１実施形態と同様に、固定式軸受１７と回動式軸受け２０と支軸３１とロックピン２１とばね２２と受け座４５とを備えている。但し、第１実施形態の補助軸受１８は備えておらず、固定式軸受１７に係合溝２９を直接に形成している。
【００５５】
また、ロックピン２１はバックサポート４の基板１５に対して、抜け不能及び相対回転不能に保持され、かつ、若干の寸法だけ軸方向にスライドする状態にビス３９で取付けられている。固定式軸受１７には、鞄等の物をフック４５を取付けている。受け座４５は回動式軸受２０が嵌まる筒部４５ａを備えている。
【００５６】
(9).その他
本願発明は、上記の実施形態の他にも様々に具体化することができる。例えば適用対象は椅子に限らず、例えば既述した折り畳み式テーブルや回動式棚装置の他に、製図用等の机、掲示板装置など、回動式の部材を有する種々の家具類に適用することができる。また、継手装置も様々に具体化することができる。例えば回動部材がテーブルの天板のようにある程度の大きさがある場合は、複数の継手で回動部材を支持したらよい。また、回動部材が複数の姿勢においてロックされる構造とすることも可能である。
【００５７】
また、実施形態では係合部を雄型（溝型）に形成してロック体を雄型に形成したが、逆に関係に形成してもよい。要は、ロック体と係合部との嵌合態様はどのような組み合わせでもよいのである。
【図面の簡単な説明】
【００５８】
【図１】(A) は第１実施形態の椅子の正面図、(B) 第１実施形態の椅子の右側面図である。
【図２】第１実施形態の椅子の平面図である。
【図３】第１実施形態の椅子の平面図である。
【図４】継手装置の分解斜視図である。
【図５】継手装置の分解平面図である。
【図６】(A) は継手装置の平面図、(B) は継手装置の側面図、(C) は継手装置の一部破断平面図である。
【図７】(A) は継手装置の縦断側面図、(B) は(A) の B-B視断面図、(C) は(A) の C-C視断面図である。
【図８】作用を示す図である。
【図９】作用を示す図である。
【図１０】第２実施形態を示す図である。
【図１１】第３実施形態を示す図である。
【図１２】第４実施形態を示す図である。
【図１３】第５実施形態を示す図である。
【符号の説明】
【００５９】
４  回動部材の一例としての椅子用バックサポート
５  バックフレーム
１１  継手装置
１７  固定継手部を構成する固定式軸受け
１８  固定継手部を構成する補助軸受け
１９  支軸
２０  回動継手部を構成する回動式軸受け
２１  ロック体の一例としてのロックピン
２２  ばね
２９  係合部の一例としての係合溝
３０  リブ
３４  ロックピンのロック部
【図１】
2006280567.tif 000003
【図２】
2006280567.tif 000004
【図３】
2006280567.tif 000005
【図４】
2006280567.tif 000006
【図５】
2006280567.tif 000007
【図６】
2006280567.tif 000008
【図７】
2006280567.tif 000009
【図８】
2006280567.tif 000010
【図９】
2006280567.tif 000011
【図１０】
2006280567.tif 000012
【図１１】
2006280567.tif 000013
【図１２】
2006280567.tif 000014
【図１３】
2006280567.tif 000015